(57)【要約】【課題】保存先への画像データの送信に障害が発生した場合に、画像データを退避し、安全に再送信可能とする手段を提供する。【解決手段】複合機１０は、画像を読み取って得られた画像データを、コンピュータ・ネットワークを介して保管サーバ３０に送信する。送信に失敗した場合、複合機１０は、近距離無線通信により、送信対象の画像データと送信先情報とを携帯端末２０に送信する。携帯端末２０は、移動体通信システムのデータ通信回線およびコンピュータ・ネットワークを介して、予め定められたタイミングで、送信対象の画像データを保管サーバ３０に送信する。【選択図】図５
2015148840.tif 000002
【特許請求の範囲】
【請求項１】
画像を処理する画像処理装置と、
前記画像処理装置から画像データを受信して保存するサーバと、
前記画像処理装置および前記サーバとデータの送受信を行う携帯端末と、を備え、
前記画像処理装置は、
画像データを保存する記憶手段と、
前記サーバおよび前記携帯端末と通信を行う通信部と、
操作者の操作に応じて、前記通信部により前記サーバへと前記記憶手段に記憶された前記画像データを送信させ、当該通信部による当該サーバへの当該画像データの送信が失敗した場合に、当該通信部により当該画像データを送信させる画像処理機能制御部と、を備え、
前記携帯端末は、
前記画像処理装置から前記画像データを受信する受信部と、
受信した前記画像データを保存する記憶手段と、
を備えることを特徴とする、データ保存システム。
【請求項２】
前記画像処理装置の前記画像処理機能制御部は、前記通信部により前記携帯端末へ前記画像データが送信された後に、当該画像データを前記記憶手段から消去することを特徴とする、請求項１に記載のデータ保存システム。
【請求項３】
前記携帯端末の前記受信部は、前記画像データと共に、前記サーバに当該画像データを送信するための送信先情報を受信し、
前記携帯端末は、前記受信部により受信された前記送信先情報に基づき、前記記憶手段に保存された前記画像データを、前記サーバに送信する送信部をさらに備えることを特徴とする、請求項１または請求項２に記載のデータ保存システム。
【請求項４】
前記画像処理装置の前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、アクセス可能情報を前記携帯端末に送信し、
前記携帯端末は、前記画像処理装置から送信された前記アクセス可能情報を受信するアクセス可能情報受信部をさらに備え、
前記携帯端末の前記送信部は、前記アクセス可能情報受信部により前記アクセス可能情報が受信された場合に、前記画像データを前記サーバに送信することを特徴とする、請求項３に記載のデータ保存システム。
【請求項５】
前記画像処理装置の前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、アクセス可能情報を前記携帯端末に送信し、
前記携帯端末は、前記画像処理装置から送信された前記アクセス可能情報を受信するアクセス可能情報受信部をさらに備えることを特徴とする、請求項３に記載のデータ保存システム。
【請求項６】
前記画像処理装置による処理に対する課金を受け付け、前記通信部による前記サーバへの前記画像データの送信が失敗した場合に、当該画像データの送信処理に対する課金の受け付けを中止する課金装置をさらに備え、
前記画像処理装置の前記通信部は、前記画像データと共に、当該画像データの送信に対する課金に関する課金情報を前記携帯端末に送信し、
前記携帯端末の前記送信部により前記画像データが前記サーバに送信された場合に、前記課金情報に基づく課金処理が行われることを特徴とする、請求項３乃至請求項５の何れかに記載のデータ保存システム。
【請求項７】
画像データを保存する記憶手段と、
サーバおよび携帯端末と通信を行う通信部と、
操作者の操作に応じて、前記通信部により前記サーバへと前記記憶手段に記憶された前記画像データを送信させ、当該通信部による当該サーバへの当該画像データの送信が失敗した場合に、当該通信部により当該画像データを送信させる画像処理機能制御部と、
を備えることを特徴とする、画像処理装置。
【請求項８】
前記画像処理機能制御部は、前記通信部により前記携帯端末へ前記画像データが送信された後に、当該画像データを前記記憶手段から消去することを特徴とする、請求項７に記載の画像処理装置。
【請求項９】
前記通信部は、前記サーバへの前記画像データの送信が失敗し、前記画像処理機能制御部により当該画像データが前記記憶手段から消去された後、当該通信部により前記携帯端末から当該画像データが取得された場合に、当該記憶手段に保持している送信先情報に基づき、取得された当該画像データを当該サーバへ送信することを特徴とする、請求項８に記載の画像処理装置。
【請求項１０】
画像データに関する処理に対する課金を受け付け、前記通信部による前記サーバへの当該画像データの送信が失敗した場合に、当該画像データの送信処理に対する課金の受け付けを中止する課金制御部をさらに備える、請求項７乃至請求項９のいずれかに記載の画像処理装置。
【請求項１１】
画像データをサーバに送信する画像処理装置から、当該画像データおよび当該サーバに当該画像データを送信するための送信先情報を受信する受信部と、
受信した前記画像データおよび前記送信先情報を保存する記憶手段と、
前記送信先情報に基づき、前記画像データを、前記サーバに送信する送信部と、
を備えることを特徴とする、携帯型端末装置。
【請求項１２】
前記画像処理装置から送信された、前記サーバへのアクセスが可能であることを示すアクセス可能情報を受信するアクセス可能情報受信部をさらに備え、
前記送信部は、前記アクセス可能情報受信部により前記アクセス可能情報が受信された場合に、前記画像データを前記サーバに送信することを特徴とする、請求項１１に記載の携帯型端末装置。
【請求項１３】
移動体通信システムのデータ通信回線を介してデータの送受信を行う第１の送受信部と、当該第１の送受信部とは異なる通信手段によりデータの送受信を行う第２の送受信部とを備える携帯型端末装置を制御するプログラムであって、
画像を読み取って画像データを取得し、当該画像データをサーバに送信する画像処理装置から、前記第２の送受信部により当該画像データおよび当該サーバに当該画像データを送信するための送信先情報を受信させる機能と、
前記送信先情報に基づき、前記画像データを、前記第１の送受信部により前記サーバに送信させる機能と、
を前記携帯型端末装置に実現させるプログラム。
【発明の詳細な説明】
【技術分野】
【０００１】
本発明は、画像データを保存するデータ保存システム、画像処理装置、携帯型端末装置およびプログラムに関する。
【背景技術】
【０００２】
特許文献１には、ネットワークを経由した画像の送信が不能となった場合に、画像送信処理を待機させるとともに、送信状況を通知する電子メールをユーザのコンピュータに送る画像送信装置が開示されている。また、ユーザが画像送信装置へ指示内容を記載した電子メールを返信することにより、画像送信装置に待機している画像送信処理を再度実行させる技術が開示されている。
【先行技術文献】
【特許文献】
【０００３】
【特許文献１】特開２０１０−３４７６７号公報
【発明の概要】
【発明が解決しようとする課題】
【０００４】
本発明は、保存先へのデータの送信に障害が発生した場合に、データを退避し、安全に再送信可能とする手段を提供することを目的とする。
【課題を解決するための手段】
【０００５】
請求項１に記載の発明は、
画像を処理する画像処理装置と、
前記画像処理装置から画像データを受信して保存するサーバと、
前記画像処理装置および前記サーバとデータの送受信を行う携帯端末と、を備え、
前記画像処理装置は、
画像データを保存する記憶手段と、
前記サーバおよび前記携帯端末と通信を行う通信部と、
操作者の操作に応じて、前記通信部により前記サーバへと前記記憶手段に記憶された前記画像データを送信させ、当該通信部による当該サーバへの当該画像データの送信が失敗した場合に、当該通信部により当該画像データを送信させる画像処理機能制御部と、を備え、
前記携帯端末は、
前記画像処理装置から前記画像データを受信する受信部と、
受信した前記画像データを保存する記憶手段と、
を備えることを特徴とする、データ保存システムである。
請求項２に記載の発明は、
前記画像処理装置の前記画像処理機能制御部は、前記通信部により前記携帯端末へ前記画像データが送信された後に、当該画像データを前記記憶手段から消去することを特徴とする、請求項１に記載のデータ保存システムである。
請求項３に記載の発明は、
前記携帯端末の前記受信部は、前記画像データと共に、前記サーバに当該画像データを送信するための送信先情報を受信し、
前記携帯端末は、前記受信部により受信された前記送信先情報に基づき、前記記憶手段に保存された前記画像データを、前記サーバに送信する送信部をさらに備えることを特徴とする、請求項１または請求項２に記載のデータ保存システムである。
請求項４に記載の発明は、
前記画像処理装置の前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、アクセス可能情報を前記携帯端末に送信し、
前記携帯端末は、前記画像処理装置から送信された前記アクセス可能情報を受信するアクセス可能情報受信部をさらに備え、
前記携帯端末の前記送信部は、前記アクセス可能情報受信部により前記アクセス可能情報が受信された場合に、前記画像データを前記サーバに送信することを特徴とする、請求項３に記載のデータ保存システムである。
請求項５に記載の発明は、
前記画像処理装置の前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、アクセス可能情報を前記携帯端末に送信し、
前記携帯端末は、前記画像処理装置から送信された前記アクセス可能情報を受信するアクセス可能情報受信部をさらに備えることを特徴とする、請求項３に記載のデータ保存システムである。
請求項６に記載の発明は、
前記画像処理装置による処理に対する課金を受け付け、前記通信部による前記サーバへの当該画像データの送信が失敗した場合に、当該画像データの送信処理に対する課金の受け付けを中止する課金装置をさらに備え、
前記画像処理装置の前記通信部は、前記画像データと共に、当該画像データの送信に対する課金に関する課金情報を前記携帯端末に送信し、
前記携帯端末の前記送信部により前記画像データが前記サーバに送信された場合に、前記課金情報に基づく課金処理が行われることを特徴とする、請求項３乃至請求項５の何れかに記載のデータ保存システムである。
請求項７に記載の発明は、
画像データを保存する記憶手段と、
サーバおよび携帯端末と通信を行う通信部と、
操作者の操作に応じて、前記通信部により前記サーバへと前記記憶手段に記憶された前記画像データを送信させ、当該通信部による当該サーバへの当該画像データの送信が失敗した場合に、当該通信部により当該画像データを送信させる画像処理機能制御部と、
を備えることを特徴とする、画像処理装置である。
請求項８に記載の発明は、
前記画像処理機能制御部は、前記通信部により前記携帯端末へ前記画像データが送信された後に、当該画像データを前記記憶手段から消去することを特徴とする、請求項７に記載の画像処理装置である。
請求項９に記載の発明は、
前記通信部は、前記サーバへの前記画像データの送信が失敗し、前記画像処理機能制御部により当該画像データが前記記憶手段から消去された後、当該通信部により前記携帯端末から当該画像データが取得された場合に、当該記憶手段に保持している送信先情報に基づき、取得された当該画像データを当該サーバへ送信することを特徴とする、請求項８に記載の画像処理装置である。
請求項１０に記載の発明は、
画像データに関する処理に対する課金を受け付け、前記通信部による前記サーバへの当該画像データの送信が失敗した場合に、当該画像データの送信処理に対する課金の受け付けを中止する課金制御部をさらに備える、請求項７乃至請求項９の何れかに記載の画像処理装置である。
請求項１１に記載の発明は、
画像データをサーバに送信する画像処理装置から、当該画像データおよび当該サーバに当該画像データを送信するための送信先情報を受信する受信部と、
受信した前記画像データおよび前記送信先情報を保存する記憶手段と、
前記送信先情報に基づき、前記画像データを、前記サーバに送信する送信部と、
を備えることを特徴とする、携帯型端末装置である。
請求項１２に記載の発明は、
前記画像処理装置から送信された、前記サーバへのアクセスが可能であることを示すアクセス可能情報を受信するアクセス可能情報受信部をさらに備え、
前記送信部は、前記アクセス可能情報受信部により前記アクセス可能情報が受信された場合に、前記画像データを前記サーバに送信することを特徴とする、請求項１１に記載の携帯型端末装置である。
請求項１３に記載の発明は、
移動体通信システムのデータ通信回線を介してデータの送受信を行う第１の送受信部と、当該第１の送受信部とは異なる通信手段によりデータの送受信を行う第２の送受信部とを備える携帯型端末装置を制御するプログラムであって、
画像を読み取って画像データを取得し、当該画像データをサーバに送信する画像処理装置から、前記第２の送受信部により当該画像データおよび当該サーバに当該画像データを送信するための送信先情報を受信させる機能と、
前記送信先情報に基づき、前記画像データを、前記第１の送受信部により前記サーバに送信させる機能と、
を前記携帯型端末装置に実現させるプログラムである。
【発明の効果】
【０００６】
請求項１の発明によれば、画像処理装置からサーバへの画像データの送信が失敗した場合に、送信対象の画像データを携帯端末に退避させることができる。
請求項２の発明によれば、画像処理装置からサーバへの画像データの送信が失敗した場合に、画像データを画像処理装置に残さずに、携帯端末に退避させることができる。
請求項３の発明によれば、携帯端末に、退避させた画像データのサーバへの送信処理を代行させることができる。
請求項４の発明によれば、画像処理装置の動作によりサーバへのアクセスが回復したか否かを認識することができるため、携帯端末においてサーバへのアクセスの試行を繰り返さなくて良い。
請求項５の発明によれば、画像処理装置の動作によりサーバへのアクセスが回復したか否かを、画像データを保持している携帯端末において認識することができる。
請求項６の発明によれば、画像データをサーバに送信する処理に関して、実際に行われた動作に対して課金を受け付けることができる。
請求項７の発明によれば、画像処理装置からサーバへの画像データの送信が失敗した場合に、送信対象の画像データを携帯端末に退避させることができる。
請求項８の発明によれば、画像処理装置からサーバへの画像データの送信が失敗した場合に、画像データを画像処理装置に残さずに、携帯端末に退避させることができる。
請求項９の発明によれば、携帯端末から画像データを受信した際に、改めて送信先情報を取得することなく、送信先のサーバへ画像データを送信することができる。
請求項１０の発明によれば、実際に実行完了した動作に対してのみ課金を受け付けることができる。
請求項１１の発明によれば、画像処理装置により取得された画像データのサーバへの送信を、携帯端末の通信機能を用いて代行することができる。
請求項１２の発明によれば、サーバへのアクセスが可能か否かを画像処理装置の動作により認識することができるため、携帯型端末装置においてサーバへのアクセスの試行を繰り返すことによる電池の消化を回避することができる。
請求項１３の発明によれば、移動体通信システムのデータ通信回線を用いたデータ通信機能および近距離無線通信によるデータ通信機能を有する携帯型端末装置に対し、画像処理装置により取得された画像データのサーバへの送信を、携帯端末の通信機能を用いて代行する機能を持たせることができる。
【図面の簡単な説明】
【０００７】
【図１】本実施形態が適用されるデータ保存システムの全体構成例を示す図である。
【図２】本実施形態に用いられる複合機の機能構成例を示す図である。
【図３】本実施形態に用いられる携帯端末の機能構成例を示す図である。
【図４】本実施形態による転送・保存動作の第１態様を示す図である。
【図５】本実施形態による転送・保存動作の第２態様を示す図である。
【図６】第２態様における複合機の動作を説明するフローチャートである。
【図７】本実施形態による転送・保存動作の第３態様を示す図である。
【図８】第３態様における複合機の動作を説明するフローチャートである。
【図９】本実施形態による転送・保存動作の第４態様を示す図である。
【発明を実施するための形態】
【０００８】
以下、添付図面を参照して、本発明の実施形態について詳細に説明する。
＜システム構成＞
図１は、本実施形態が適用されるデータ保存システムの全体構成例を示す図である。
図１に示す本実施形態のデータ保存システムは、データの取得手段である複合機（Multifunction Printer：ＭＦＰ）１０と、取得されたデータの一時保存手段である携帯型情報通信端末（以下、携帯端末）２０と、データの保存手段である保管サーバ３０と、課金処理を行う課金サーバ５０とを備える。
【０００９】
ここで、複合機１０は、画像の出力、読み取り、画像データの送信などを行う機能を備えた画像処理装置である。そして、例えばコンビニエンス・ストアや公共施設等の不特定の操作者が利用可能な環境に設置されたものを含む。携帯端末２０は、通信機能を備えた携帯型の情報処理装置であり、いわゆる携帯電話やスマートフォン等の移動体通信機器を含む。詳しくは後述するように、複合機１０および携帯端末２０は、各々、近距離（近接）無線通信によりデータ交換を行う機能を備える。
【００１０】
また、保管サーバ３０は、インターネット等のコンピュータ・ネットワークを介してアクセス可能なストレージ・サーバであり、いわゆるクラウドサーバ等として実現される。複合機１０と保管サーバ３０とは、ネットワーク（インターネット等）回線を介して接続される。また、携帯端末２０と保管サーバ３０とは、移動体通信システムの回線およびネットワーク回線を介して接続される。
【００１１】
また、課金サーバ５０は、インターネット等のコンピュータ・ネットワークを介してアクセス可能なサーバである。携帯端末２０と課金サーバ５０とは、移動体通信システムの回線およびネットワーク回線を介して接続される。
【００１２】
＜複合機の機能構成＞
図２は、本実施形態に用いられる複合機１０の機能構成例を示す図である。
図２に示すように、複合機１０は、画像形成部１１と、画像読み取り部１２と、画像処理機能制御部１３とを備える。また、複合機１０は、通信制御部１４と、送受信部１５と、近距離無線通信用送受信部１６とを備える。さらに、複合機１０は、操作受け付け部１７と、課金制御部１８とを備える。
【００１３】
画像形成部１１は、画像のデジタル・データ（以下、画像データ）に基づき、画像形成材を用いて媒体（用紙）上に画像を形成する。画像形成の方式としては、画像形成材としてトナーを用いた電子写真方式や、画像形成材としてインクを用いたインクジェット方式等、既存の種々の方式を用いて良い。形成対象の画像データは、ネットワーク等を介して外部装置から受信しても良いし、後述するように画像読み取り部１２によって読み取ったデータであっても良い。
【００１４】
画像読み取り部１２は、読み取り対象の原稿を光学的に読み取り、画像データに変換するイメージ・スキャナである。画像読み取り部１２は、例えば、原稿に光を照射する照明ランプと、原稿から得られた反射光を誘導するミラーと、ミラーにより誘導された光を結像する結像用レンズと、結像用レンズによって結像された光学像を光電変換するイメージ・センサとを備えて構成される。イメージ・センサは、例えば、撮像素子としてＣＣＤ（Charge Coupled Device）等を用いた１次元のセンサであり、１ライン分を同時に処理する。画像読み取り部１２は、イメージ・センサによるライン方向（スキャンの主走査方向）の１ラインの読み取りが終了すると、原稿に対するイメージ・センサの相対位置を、主走査方向とは直交する方向（副走査方向）に移動させ、原稿の次のラインを読み取る。これを原稿サイズ全体に亘って実行することで、１ページの原稿読み取りを行う。
【００１５】
画像処理機能制御部１３は、画像形成部１１や画像読み取り部１２を制御して、画像データに基づく画像の形成や原稿の画像の読み取りを実行させる。また、画像処理機能制御部１３は、画像形成部１１により画像形成処理が行われる際に画像データを展開（rasterise）する処理や、画像読み取り部１２により画像が読み取られた際にイメージ・センサから出力された信号をデジタル・データに変換する処理等を行う。
【００１６】
この画像処理機能制御部１３は、例えば、演算装置であるＣＰＵ（Central Processing Unit）と記憶装置であるＲＯＭ（Read Only Memory）およびＲＡＭ（Random Access Memory）により実現される。ＲＯＭには、画像形成部１１や画像読み取り部１２を制御するための制御プログラムや、上記のような各種の画像処理を実行するためのプログラムが記録されており、ＣＰＵはこのプログラムを実行することにより、上記の制御や画像処理を実行する。ＲＡＭは、ＣＰＵが各種の処理を行う際の作業メモリ等として用いられる。
【００１７】
また、特に図示していないが、複合機１０には、補助記憶装置としての磁気ディスク装置（Hard disk drive：ＨＤＤ）が設けられる場合がある。この磁気ディスク装置は、例えば、画像形成部１１による画像形成の対象として取得された画像データや、画像読み取り部１２により読み取られた画像データを保存するために用いられる。また、上記のＲＯＭに記憶されているプログラムとは別のプログラムを記憶するために磁気ディスク装置が用いられる場合もある。
【００１８】
通信制御部１４は、各種の通信手段による外部装置との間でのデータ通信を制御する。具体的には、通信制御部１４は、コンピュータ・ネットワークを介して行われる保管サーバ３０等との間でのデータの送受信を制御する。また、通信制御部１４は、近距離無線通信による携帯端末２０等との間でのデータの送受信を制御する。さらに、通信制御部１４は、複合機１０に電話回線が接続されている構成において、この電話回線を用いて行われるファクシミリの送受信を制御するようにしても良い。詳しくは後述するが、本実施形態では、画像データを保管サーバ３０に送信しようとして送信できなかった場合に、この画像データを携帯端末２０へ転送する。この場合の通信制御も通信制御部１４により行われる。
【００１９】
この通信制御部１４は、例えば、演算装置であるＣＰＵと記憶装置であるＲＯＭおよびＲＡＭにより実現される。ＲＯＭにはデータの送受信を制御するためのプログラムが記録されており、ＣＰＵはこのプログラムを実行することにより、上記の通信制御を実行する。ＲＡＭは、ＣＰＵが通信制御における処理を行う際の作業メモリ等として用いられる。また、複合機１０に補助記憶装置としての磁気ディスク装置が設けられている場合、この磁気ディスク装置は、通信制御部１４により送信されるデータや受信されたデータを保存するために用いられる場合もある。
【００２０】
送受信部１５は、複合機１０がコンピュータ・ネットワークに接続するためのネットワーク・インターフェイスである。なお、コンピュータ・ネットワークへの接続方式は、有線か無線かを問わない。本実施形態において、通信制御部１４と送受信部１５とが、複合機１０と保管サーバ３０との間でデータ交換を行うための第１通信部として機能する。
【００２１】
近距離無線通信用送受信部１６は、ＮＦＣ（Near field communication）等の近距離無線通信システム用の送受信手段であり、同じ方式または互換性のある方式による近距離無線通信システムに対応した外部装置との間でのデータ通信を制御する。本実施形態では、例えば、近距離無線通信用送受信部１６が、ＮＦＣによるデータ通信に対応し、同じくＮＦＣに対応した携帯端末２０との間でデータ交換を行う。また、詳しくは後述するが、本実施形態では、画像データを保管サーバ３０に送信しようとして送信できなかった場合に、この画像データを携帯端末２０へ転送する。この場合の携帯端末２０への画像データの転送が、近距離無線通信システムにより行われる。ここで、画像データはデータ・サイズが比較的大きいが、ＮＦＣの通信速度は比較的遅い。そこで、近距離無線通信用送受信部１６としてＮＦＣによる通信を行う送受信部と、Bluetooth（登録商標）による通信を行う送受信部とを備え、Bluetoothの認証（ペアリング）をＮＦＣによって行い、画像データの転送はＮＦＣよりも通信速度の速いBluetoothにより行っても良い。この場合、携帯端末２０もＮＦＣとBluetoothの双方に対応していることが必要である。本実施形態において、通信制御部１４と近距離無線通信用送受信部１６とが、複合機１０と携帯端末２０との間でデータ交換を行うための第２通信部として機能する。
【００２２】
近距離無線通信システムとしてＮＦＣを用いる場合は、例えば、複合機１０の筐体における近距離無線通信用送受信部１６の近傍に、携帯端末２０を載せる台座やホルダー（holder）を設けても良い。このようにすれば、携帯端末２０を近距離無線通信システムによる通信に適した位置に配置することが容易となる。なお、本実施形態では、近距離無線通信システムとして、種々のシステムを適用することができ、上記のＮＦＣやBluetoothに限定されない。例えば、ＩｒＤＡ（Infrared Data Association）による赤外線通信等を用いても良い。
【００２３】
操作受け付け部１７は、複合機１０の各種の機能の設定や、機能に基づく処理の実行指示等の入力操作を受け付ける。具体的には、操作受け付け部１７は、画像形成部１１を用いた画像形成処理や画像読み取り部１２を用いた画像読み取り処理の実行指示、保管サーバ３０への画像データの送信指示等の入力操作を受け付ける。また、本実施形態では、操作受け付け部１７は、画像データの送信に失敗した場合に行う画像の転送や課金に関する設定指示および処理の実行指示の入力操作を受け付ける。これらの指示の詳細については後述する。
【００２４】
この操作受け付け部１７は、例えば液晶ディスプレイ等の表示装置とタッチパネルとの組み合わせにより実現される。表示装置に各種の操作を行うための操作画面が表示され、表示された操作画面にしたがって複合機１０の操作者がタッチ操作を行うと、この操作がタッチパネルにより検知される。そして、検知された操作の内容に応じて、コマンドやデータの入力を受け付ける。タッチパネルの検知方式は、静電容量方式や感圧方式など、既存の種々の方式を用いて良く、特に限定しない。また、操作受け付け部１７として、特定の機能に対応付けられた操作ボタンを設けても良い。
【００２５】
課金制御部１８は、外部装置として複合機１０に接続された課金装置４０を制御し、複合機１０の機能の利用に対する料金（対価）を徴収する。なお、詳しくは後述するが、本実施形態では、画像データを保管サーバ３０に送信しようとして送信できなかった場合に、この画像データを携帯端末２０へ転送する。この場合、複合機１０の操作者は、複合機１０の画像データを保管サーバ３０に送信する機能を利用しようとしたのであるが、その機能が正常に働かなかったので、画像データの送信に対する課金は中止される。そして、課金に関する情報（以下、課金情報）が画像データと共に携帯端末２０へ送信される。この後、後述の手段によって画像データの保管サーバ３０への送信が完了したことを条件として、画像データの送信に対する課金が実施される。課金制御の具体的な内容については後述する。
【００２６】
＜携帯端末の機能構成＞
図３は、本実施形態に用いられる携帯端末２０の機能構成例を示す図である。
図３に示すように、携帯端末２０は、送受信部２１と、近距離無線通信用送受信部２２と、通信制御部２３とを備える。また、携帯端末２０は、データ保存・転送制御部２４と、インターフェイス制御部２５と、画像表示部２６と、操作部２７とを備える。
【００２７】
送受信部２１は、移動体通信システムのデータ通信回線を介してコンピュータ・ネットワークに接続するための送受信手段である。本実施形態では、送受信部２１は、携帯端末２０から保管サーバ３０への画像データの送信や複合機１０から送信された電子メールの受信などを行う場合に用いられる。また、送受信部２１は、課金サーバ５０へ課金に関する情報を送信する場合にも用いられる。
【００２８】
近距離無線通信用送受信部２２は、ＮＦＣ等の近距離無線通信システム用の送受信手段であり、同じ方式または互換性のある方式による近距離無線通信システムに対応した外部装置との間でのデータ通信を制御する。本実施形態では、例えば、近距離無線通信用送受信部２２が、ＮＦＣによるデータ通信に対応し、同じくＮＦＣに対応した複合機１０との間でデータ交換を行う。具体的には、本実施形態では、複合機１０から携帯端末２０へ画像データを転送することがあり、この場合のデータ転送手段として近距離無線通信が用いられる。ここで、画像データはデータ・サイズが比較的大きいが、ＮＦＣの通信速度は比較的遅い。そこで、近距離無線通信用送受信部２２としてＮＦＣによる通信を行う送受信部と、Bluetoothによる通信を行う送受信部とを備え、Bluetoothの認証（ペアリング）をＮＦＣによって行い、画像データの転送はＮＦＣよりも通信速度の速いBluetoothにより行っても良い。この場合、複合機１０もＮＦＣとBluetoothの双方に対応していることが必要である。
【００２９】
なお、本実施形態では、近距離無線通信システムとして、種々のシステムを適用することができ、上記のＮＦＣやBluetoothに限定されない。例えば、ＩｒＤＡによる赤外線通信等を用いても良い。
【００３０】
通信制御部２３は、各種の通信手段による外部装置との間でのデータ通信を制御する。具体的には、通信制御部２３は、送受信部２１を用い移動体通信システムのデータ通信回線を介してコンピュータ・ネットワークに接続して行われる保管サーバ３０や課金サーバ５０等との間でのデータの送受信を制御する。また、通信制御部２３は、近距離無線通信による複合機１０等との間でのデータの送受信を制御する。本実施形態において、送受信部２１と通信制御部２３とが、保管サーバ３０へ画像データを送信し、課金サーバ５０へ課金情報を送信するための送信部として機能する。また、近距離無線通信用送受信部２２と通信制御部２３とが、複合機１０から画像データを受信するための受信部として機能する。
【００３１】
この通信制御部２３は、例えば、演算装置であるＣＰＵと記憶装置であるＲＯＭおよびＲＡＭにより実現される。ＲＯＭにはデータの送受信を制御するためのプログラムが記録されており、ＣＰＵはこのプログラムを実行することにより、上記の通信制御を実行する。ＲＡＭは、ＣＰＵが通信制御における処理を行う際の作業メモリ等として用いられる。
【００３２】
データ保存・転送制御部２４は、複合機１０から取得したデータの保存および保管サーバ３０等への転送を制御する。本実施形態では、携帯端末２０は、上記のように近距離無線通信により複合機１０から画像データを取得する。そして、携帯端末２０は、取得した画像データを一時的に保存する。また、携帯端末２０は、予め定められた設定にしたがって取得した画像データを保管サーバ３０へ転送する。
【００３３】
また、本実施形態において、複合機１０での課金の受け付けが中止された場合、この課金情報が画像データと共に複合機１０から携帯端末２０へ送られる。データ保存・転送制御部２４は、この課金情報を取得して保存し、対応する画像データの転送に伴って、課金サーバ５０へ送信する。
【００３４】
このデータ保存・転送制御部２４は、例えば、演算装置であるＣＰＵと記憶装置であるＲＯＭおよびＲＡＭにより実現される。ＲＯＭにはデータの保存や転送を制御するためのプログラムが記録されており、ＣＰＵはこのプログラムを実行することにより、上記のデータの保存および転送の制御を実行する。ＲＡＭは、ＣＰＵが通信制御における処理を行う際の作業メモリ等として用いられる。また、ＲＡＭは、複合機１０から取得した画像データや課金情報を一時保存するための記憶手段として用いられる。また、データ保存・転送制御部２４は、複合機１０から取得した画像データや課金情報を一時保存するための記憶手段として、書き換え可能な不揮発性メモリを備えても良い。
【００３５】
インターフェイス制御部２５は、画像表示部２６および操作部２７を制御し、携帯端末２０の操作者への情報の提供、操作者の操作によるコマンドやデータの入力の受け付け等の制御を行う。本実施の形態では、インターフェイス制御部２５は、複合機１０から取得した電子メールを画像表示部２６に表示させる。また、インターフェイス制御部２５は、複合機１０から取得した画像データに基づいて縮小画像を生成し、画像表示部２６に表示させる。また、インターフェイス制御部２５は、操作者が操作部２７を操作して行った画像データや課金情報の送信コマンドの入力を受け付ける。また、インターフェイス制御部２５は、操作者が操作部２７を操作して行った画像データの転送方法や課金方法の設定の入力を受け付ける。
【００３６】
このインターフェイス制御部２５は、例えば、演算装置であるＣＰＵと記憶装置であるＲＯＭおよびＲＡＭにより実現される。ＲＯＭには画像表示部２６および操作部２７によるデータやコマンドの入出力を制御するためのプログラムが記録されており、ＣＰＵはこのプログラムを実行することにより、上記のデータやコマンドの入出力制御を実行する。ＲＡＭは、ＣＰＵが通信制御における処理を行う際の作業メモリ等として用いられる。また、ＲＡＭは、複合機１０から取得した画像データに基づく縮小画像を生成した場合に、この縮小画像を保存するための格納手段として用いられる。
【００３７】
画像表示部２６は、携帯端末２０の操作者に対して情報を提示する手段であり、例えば、液晶ディスプレイにより実現される。本実施形態の画像表示部２６には、複合機１０から取得した電子メールや複合機１０から取得した画像データに基づいて生成された縮小画像が表示される。また、本実施形態の画像表示部２６には、タッチパネルで構成される操作部２７による操作を受け付けるための操作画面が表示される。
【００３８】
操作部２７は、例えば、画像表示部２６に重ねて設けられたタッチパネルにより実現される。そして、画像表示部２６に表示された操作画面にしたがって行われた操作者のタッチ操作を検知し、操作内容に応じてコマンドやデータの入力を受け付ける。タッチパネルの検知方式は、静電容量方式や感圧方式など、既存の種々の方式を用いて良く、特に限定しない。また、操作部２７として、タッチパネルに加えて、特定の機能に対応付けられた操作ボタン等を用意しても良い。
【００３９】
＜保管サーバおよび課金サーバの機能＞
保管サーバ３０は、コンピュータ・ネットワークを介して行われた複合機１０および携帯端末２０からのアクセスを受け付ける。そして、保管サーバ３０は、複合機１０から送信された画像データおよび携帯端末２０から送信された画像データを取得し、磁気ディスク装置等の記憶装置に格納して保管する。
【００４０】
課金サーバ５０は、コンピュータ・ネットワークを介して行われた携帯端末２０からのアクセスを受け付ける。そして、課金サーバ５０は、保管サーバ３０への画像データの転送に対する課金処理を行う。課金サーバ５０による課金処理が発生する状況および課金処理の内容の詳細については後述する。
【００４１】
＜画像データの転送および保存の動作：第１態様＞
次に、本実施形態における画像データの転送および保存に係る動作について説明する。
図４は、本実施形態による転送・保存動作の第１態様を示す図である。
図４に示す第１態様は、複合機１０から保管サーバ３０への画像データの送信が成功した場合の動作を示す。画像データは、例えば、複合機１０の画像読み取り部１２の読み取り処理により取得される。複合機１０には課金装置４０が接続されており、以下に説明する各処理の実行前に課金が行われるものとする。
【００４２】
第１態様において、複合機１０の操作者は、まず、複合機１０の操作受け付け部１７に表示された操作画面に基づいて画像読み取り機能を選択し、読み取り処理の実行指示の入力操作を行う。これにより、複合機１０の画像読み取り部１２が、読み取り対象である原稿の画像を読み取る。読み取りにより得られた画像データは、複合機１０の記憶手段（画像処理機能制御部１３のＲＡＭや磁気ディスク装置等）に保存される。
【００４３】
次に、操作者は、操作受け付け部１７に表示された操作画面に基づいて送信機能を選択し、送信先として保管サーバ３０を指定し、画像データの送信指示の入力操作を行う。送信先の指定は、例えば保管サーバ３０のＩＰアドレス（Internet Protocol address）やＵＲＬ（Uniform Resource Locator）を指定することにより行われる。これにより、複合機１０の通信制御部１４が、送受信部１５により送信先として指定された保管サーバ３０へ画像データを送信する。
【００４４】
以上の処理において、課金は、画像読み取り部１２による読み取り処理と、通信制御部１４による送信処理の各々に対して行われるものとする。課金装置４０は、料金が支払われると、支払われた金額の情報を複合機１０に通知する。複合機１０は、支払われた金額が選択された機能による処理の実行に要する料金以上であれば、選択された機能による処理を実行する。
【００４５】
＜画像データの転送および保存の動作：第２態様＞
図５は、本実施形態による転送・保存動作の第２態様を示す図である。
図５に示す第２態様は、複合機１０から保管サーバ３０への画像データの送信が失敗した場合の動作を示す。保管サーバ３０への画像データの送信が失敗する原因としては、保管サーバ３０自体の障害、複合機１０から保管サーバ３０までの接続経路における障害、複合機１０の送受信部１５の故障などが考えられるが、本実施形態では特に限定しない。画像データは、例えば、複合機１０の画像読み取り部１２の読み取り処理により取得される。複合機１０には課金装置４０が接続されており、以下に説明する各処理の実行前に課金が行われるものとする。
【００４６】
第２態様では、画像の読み取り処理および画像データの送信処理が、上記の第１態様と同様に行われる。ただし、画像データの送信処理は、何らかの原因により失敗する。このような場合、通常は、適当な時間間隔で、予め設定された回数だけ複合機１０の通信制御部１４による再送処理が行われる。この再送処理が行われている間、複合機１０には、送信対象である画像データが保持される。ここで、職場等の限定された操作者のみが複合機１０を操作し得る環境ではなく、コンビニエンス・ストアや公共施設等に設置された不特定の操作者が複合機１０を操作し得る環境において、第２態様の動作が行われる場合を考える。具体的には、例えば、外出先でコンビニエンス・ストアに設置された複合機１０を用いて画像データを取得し、インターネット上の保管サーバ３０に保管しようとする場合がある。このような状況では、操作者は、画像の読み取りおよび送信処理の実行指示を行った後は、その場に居つづけることができない場合がある。したがって、複合機１０において画像データの再送処理が継続している間、送信指示を行った操作者がその場に居ないとしても、送信対象の画像データが複合機１０に残されることとなる。
【００４７】
本実施形態では、上記のような状況において、送信対象の画像データを携帯端末２０に一時的に退避させることにより、複合機１０から送信対象の画像データを消去することを可能とする。
【００４８】
すなわち、第２態様において、複合機１０は、画像データの送信に失敗すると、操作受け付け部１７の表示装置に、その旨のメッセージを表示すると共に、画像データを携帯端末２０に退避させるか否かを操作者に選択させるための操作画面を表示する。操作者が、操作画面に基づいて操作受け付け部１７を操作することにより、画像データを携帯端末２０に退避させることを選択すると、次に、操作受け付け部１７の表示装置に、複合機１０の台座に携帯端末２０を載せるように指示するメッセージが表示される。このメッセージにしたがって操作者が台座に携帯端末２０を載せると、複合機１０の近距離無線通信用送受信部１６と、携帯端末２０の近距離無線通信用送受信部２２により、近距離無線通信を用いて送信対象の画像データが転送される。このとき、画像データと共に、画像データの送信先（保管サーバ３０）の送信先情報（ＩＰアドレスやＵＲＬ等）も携帯端末２０に送信される。
【００４９】
送信対象の画像データが複合機１０から携帯端末２０へ転送（退避）されると、複合機１０は、画像データを保持している必要が無くなるので、画像処理機能制御部１３が、この画像データを消去する。これにより、送信対象の画像データは、複合機１０には残っておらず、操作者自身が携帯する携帯端末２０に一時保存された状態となる。このため、複合機１０に送信対象の画像データが残った状態のまま、操作者が複合機１０の設置された場所を離れることがなくなる。
【００５０】
第２態様において、携帯端末２０に一時保存された画像データは、画像データと共に転送された送信先情報に基づき、携帯端末２０から保管サーバ３０へ送信される。すなわち、携帯端末２０の通信制御部２３が、送受信部２１を用い、移動体通信システムのデータ通信回線およびコンピュータ・ネットワークを介して保管サーバ３０にアクセスし、複合機１０から取得した画像データを送信する。複合機１０から保管サーバ３０への画像データの送信の失敗が、複合機１０または複合機１０から保管サーバ３０までの接続経路の障害によるものであった場合は、携帯端末２０から保管サーバ３０へのアクセスは可能である。したがって、この場合は、携帯端末２０から保管サーバ３０へ画像データが送信される。
【００５１】
一方、複合機１０から保管サーバ３０への画像データの送信の失敗が、保管サーバ３０の障害によるものであった場合、携帯端末２０も保管サーバ３０にアクセスすることができない。この場合は、携帯端末２０が、画像データの送信処理を、適当な時間間隔で繰り返すことにより、保管サーバ３０へのアクセスを試みる。なお、画像データの送信処理を繰り返す回数および時間間隔は、携帯端末２０のインターフェイス制御部２５により提供される設定画面において、操作者の設定操作を受け付けて設定される。
【００５２】
さて、この第２態様においては、複合機１０において画像の読み取り処理は行われたが、画像データの送信処理は完了していない。したがって、課金は画像の読み取り処理に対してのみ行われる。具体的には、操作者による操作受け付け部１７の操作により、画像データを携帯端末２０に退避させることが選択されたことを条件として、画像データの送信に対する課金が中止される。そして、複合機１０の課金制御部１８の制御により、課金装置４０において料金が返却される。
【００５３】
また、この場合、複合機１０から携帯端末２０への画像データの転送に伴い、画像データの送信処理に対する課金情報も携帯端末２０へ送信される。そして、携帯端末２０から保管サーバ３０への画像データの送信が完了すると、携帯端末２０から課金サーバ５０へ、課金情報が送信される。課金サーバ５０は、受信した課金情報に基づき課金処理を実行し、画像データの転送に係る料金を徴収する。料金の徴収の方法は、例えば、クレジットカード決済による方法や移動体通信システムの回線使用料に上乗せして徴収する方法等、携帯端末２０を用いた有料サービスの利用に関して実現されている既存の料金徴収方法のうち、適用可能な方法を適用して良い。
【００５４】
なお、第２態様の動作において、複合機１０から携帯端末２０への画像データ等の転送を、複合機１０の近距離無線通信用送受信部１６と携帯端末２０の近距離無線通信用送受信部２２により、近距離無線通信を用いて行うこととした。これに対し、近距離無線通信を用いず、他の通信手段により複合機１０から携帯端末２０への画像データ等を転送することが可能な構成としても良い。例えば、送信先情報等を記載した電子メールに画像データを添付して複合機１０から携帯端末２０へ送信することが考えられる。また、コンピュータ・ネットワークを介してアクセス可能な、保管サーバ３０とは異なるストレージ・サーバに、複合機１０から画像データ等を送信して格納し、格納先情報（ＵＲＬ等）を電子メール等の通信手段で複合機１０から携帯端末２０へ送信することも考えられる。
【００５５】
図６は、第２態様における複合機１０の動作を説明するフローチャートである。
図６に示すように、まず、複合機１０は、取得した画像データを本来の保存先である保管サーバ３０へ送信する処理を行う（ステップ６０１）。この送信が成功すれば（ステップ６０２でＹＥＳ）、処理は終了する。
【００５６】
複合機１０から保管サーバ３０への画像データの送信が失敗した場合（ステップ６０２でＮＯ）、複合機１０は、操作受け付け部１７の表示装置に、画像データを退避させるための操作画面を表示する（ステップ６０３）。操作画面において、画像データの退避が選択されなかった場合（ステップ６０４でＮＯ）、処理は終了する。画像データの退避が選択されなかった場合としては、具体的には例えば、画像データの保存を中止する指示の入力操作が行われた場合などが考えられる。
【００５７】
画像データの退避が選択された場合（ステップ６０４でＹＥＳ）、複合機１０は、台座に携帯端末２０を載せるように指示するメッセージの表示などを行い、近距離無線通信用送受信部１６により携帯端末２０が検知されるのを待つ（ステップ６０５）。携帯端末２０が検知されると、複合機１０は、近距離無線通信により画像データおよび送信先情報を携帯端末２０へ転送すると共に、画像データの送信に対する課金を中止する（ステップ６０６）。画像データ等の転送が完了すると（ステップ６０７）、複合機１０は、画像データを消去する（ステップ６０８）。
【００５８】
＜画像データの転送および保存の動作：第３態様＞
図７は、本実施形態による転送・保存動作の第３態様を示す図である。
図７に示す第３態様は、複合機１０から保管サーバ３０への画像データの送信が失敗した場合の動作を示す。複合機１０から保管サーバ３０への画像データの送信が失敗し、画像データを携帯端末２０に退避させるまでの動作は、第２態様と同様である。
【００５９】
第３態様では、複合機１０が、画像データを携帯端末２０へ退避させた後、予め設定された適当な時間間隔で、画像データの送信先であった保管サーバ３０へのアクセスを再試行する。そして、保管サーバ３０へのアクセスに成功したならば、その旨の情報（アクセス可能情報）を携帯端末２０に通知する。携帯端末２０への通知は、例えば電子メールによって行われる。したがって、第３態様において、複合機１０は、画像データを携帯端末２０へ退避させた際、記憶手段から画像データを消去するが、アクセスの再試行に必要な送信先の情報は消去しない。また、複合機１０は、送信先へのアクセスに成功したことを携帯端末２０に通知するために必要な携帯端末２０の宛先情報（例えば、電子メールにより通知する場合は、電子メールアドレス）を取得して、画像データの送信先（保管サーバ３０）の情報と関連付けて保持する。携帯端末２０の宛先情報は、画像データを携帯端末２０へ転送するために近距離無線通信により接続した際に、携帯端末２０から複合機１０へ送信しても良いし、複合機１０の操作受け付け部１７を用いた入力操作により、複合機１０の操作者が手作業にて入力しても良い。
【００６０】
上記のアクセス可能情報の通知が電子メールにより行われた場合、携帯端末２０は、送受信部２１および通信制御部２３により、この電子メールによる通知を受信する。したがって、この場合、送受信部２１と通信制御部２３とは、複合機１０から電子メールによるアクセス可能情報を受信するためのアクセス可能情報受信部として機能する。
【００６１】
複合機１０から通知を受けると、携帯端末２０の操作者は、保管サーバ３０へのアクセスが可能となったことを認識するので、携帯端末２０から保管サーバ３０にアクセスし、一時保存している画像データを送信する。この際、携帯端末２０から課金サーバ５０へ課金情報が送信される。保管サーバ３０への画像データの送信および課金サーバ５０への課金情報の送信の動作については、第２態様と同様である。
【００６２】
図８は、第３態様における複合機１０の動作を説明するフローチャートである。
図８に示す複合機１０の動作において、ステップ８０１〜ステップ８０８の動作は、図６に示した第２態様における複合機１０のステップ６０１〜ステップ６０８の動作と同様なので、説明を省略する。
【００６３】
複合機１０から携帯端末２０への画像データの転送が完了して画像データが複合機１０から消去された後（ステップ８０７、８０８）、複合機１０は、設定に従って、保管サーバ３０へのアクセスを繰り返す（ステップ８０９、８１０）。そして、保管サーバ３０へのアクセスが成功したならば、複合機１０は、アクセス可能情報を携帯端末２０へ通知する（ステップ８１１）。なお、図８では明示していないが、ステップ８０９、８１０に示す複合機１０による保管サーバ３０へのアクセスは、設定条件に基づいて繰り返し行った後、終了するようにしても良い。設定条件としては、アクセスを試行する回数（例えば、１０回試行して成功しなければ終了）、アクセスを試行する期間（例えば、３０分間試行を繰り返して成功しなければ終了）等とすることが考えられる。
【００６４】
＜画像データの転送および保存の動作：第４態様＞
図９は、本実施形態による転送・保存動作の第４態様を示す図である。
図９に示す第４態様は、複合機１０から保管サーバ３０への画像データの送信が失敗した場合の動作を示す。複合機１０から保管サーバ３０への画像データの送信が失敗し、画像データを携帯端末２０に退避させるまでの動作は、第２態様と同様である。
【００６５】
第４態様では、送信対象の画像データが複合機１０から携帯端末２０へ退避された後、改めて携帯端末２０から複合機１０へ画像データを戻し、複合機１０から保管サーバ３０へ画像データを送信する。ここで、携帯端末２０から複合機１０へ画像データを戻すタイミングは、携帯端末２０の操作者の任意により適当な時間の経過後としても良いし、第３態様で説明した複合機１０からの通知を受け取ったのちとしても良い。また、携帯端末２０から画像データを転送する対象である複合機１０は、必ずしも、その画像データを携帯端末２０に転送した複合機１０と同一の複合機１０でなくても良い。すなわち、画像データを携帯端末２０に転送した複合機１０とは異なる場所に配置された別の複合機１０であっても良い。
【００６６】
第４態様において、複合機１０および携帯端末２０の操作者は、まず、複合機１０の操作受け付け部１７に表示された操作画面に基づいて携帯端末２０から複合機１０への画像の転送機能を選択する。そして、複合機１０の台座に携帯端末２０を載せる。これにより、複合機１０の近距離無線通信用送受信部１６と、携帯端末２０の近距離無線通信用送受信部２２により、近距離無線通信を用いて送信対象の画像データが携帯端末２０から複合機１０へ転送される。したがって、この場合、近距離無線通信用送受信部２２と通信制御部２３とは、複合機１０に対して画像データを送信するための画像データ送信部として機能する。携帯端末２０から取得した画像データは、複合機１０の記憶手段（画像処理機能制御部１３のＲＡＭや磁気ディスク装置等）に保存される。
【００６７】
次に、複合機１０の操作者は、操作受け付け部１７に表示された操作画面に基づいて送信機能を選択し、画像データの送信指示の入力操作を行う。画像データの送信先情報は、携帯端末２０から複合機１０への画像データを転送した際に、画像データと共に携帯端末２０から複合機１０へ送信しても良いし、複合機１０の操作受け付け部１７を用いた入力操作により、複合機１０の操作者が手作業にて入力しても良い。また、複合機１０が保管サーバ３０へのアクセスの再試行を行うために用いた送信先情報が保持されているならば、この送信先情報を送信対象の画像データに関連付けて用いても良い。これにより、複合機１０の通信制御部１４が、送受信部１５により送信先として指定された保管サーバ３０へ画像データを送信する。
【００６８】
第４態様において、保管サーバ３０への画像データの送信は、複合機１０の機能を用いて行われる。したがって、この画像データの送信に対する課金は、画像データを送信した複合機１０において、課金装置４０を用いて行われる。すなわち、操作者が課金装置４０においてデータの送信機能の利用料金を支払うことにより、この機能による画像データの送信処理が実行される。
【００６９】
以上、本実施形態における代表的な４つの動作態様（第１態様〜第４態様）を説明したが、実際の運用においては、これらを適当に組み合わせて実施して良い。例えば、第３態様で説明した複合機１０から携帯端末２０への通知が行われた後、携帯端末２０から保管サーバ３０へ画像データを送信するか、画像データを複合機１０へ転送して複合機１０から保管サーバ３０へ画像データを送信するかを操作者が選択するようにしても良い。
【００７０】
また、画像データの取得方法として複合機１０が有する画像読み取り部１２を用いて取得する実施例を説明したが、その方法に限られない。例えば、携帯端末２０が有するカメラなどで画像データを取得し、複合機１０へ転送される場合やＰＣなどの情報処理装置に保存されている画像データが複合機１０へ転送される場合なども考えられる。さらに、保管サーバ３０へ画像データを転送する際に、合わせて転送元を示す情報を送信しても良い。これにより、保管サーバ３０を有するサービス提供者は、画像データの転送元が複合機１０か携帯端末２０かを識別することができる。
【符号の説明】
【００７１】
１０…複合機、１１…画像形成部、１２…画像読み取り部、１３…画像処理機能制御部、１４…通信制御部、１５…送受信部、１６…近距離無線通信用送受信部、１７…操作受け付け部、１８…課金制御部、２０…携帯端末（携帯型情報通信端末）、２１…送受信部、２２…近距離無線通信用送受信部、２３…通信制御部、２４…データ保存・転送制御部、２５…インターフェイス制御部、２６…画像表示部、２７…操作部、３０…保管サーバ、４０…課金装置、５０…課金サーバ
【図１】
2015148840.tif 000003
【図２】
2015148840.tif 000004
【図３】
2015148840.tif 000005
【図４】
2015148840.tif 000006
【図５】
2015148840.tif 000007
【図６】
2015148840.tif 000008
【図７】
2015148840.tif 000009
【図８】
2015148840.tif 000010
【図９】
2015148840.tif 000011
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
画像を処理する画像処理装置と、
前記画像処理装置から画像データを受信して保存するサーバと、
前記画像処理装置および前記サーバとデータの送受信を行う携帯端末と、を備え、
前記画像処理装置は、
画像データを保存する記憶手段と、
前記サーバと通信を行い、前記携帯端末と近接場型の無線通信を行う通信部と、
前記通信部により前記サーバへと前記記憶手段に記憶された前記画像データを送信させる、画像処理機能制御部と、
前記通信部による前記サーバへの前記画像データの送信が失敗した場合に、前記携帯端末と前記無線通信を行うことを要求する通信要求部と、
を備え、
前記画像処理機能制御部は、前記通信部による当該サーバへの前記画像データの送信が失敗した場合に、前記携帯端末を検知すると、当該通信部により当該画像データを当該携帯端末へ送信させ、
前記携帯端末は、
前記画像処理装置から前記画像データを受信する受信部と、
受信した前記画像データを保存する記憶手段と、
を備えることを特徴とする、データ保存システム。
【請求項２】
前記画像処理装置の前記画像処理機能制御部は、前記通信部により前記携帯端末へ前記画像データが送信された後に、当該画像データを前記記憶手段から消去することを特徴とする、請求項１に記載のデータ保存システム。
【請求項３】
前記携帯端末の前記受信部は、前記画像データと共に、前記サーバに当該画像データを送信するための送信先情報を受信し、
前記携帯端末は、前記受信部により受信された前記送信先情報に基づき、前記記憶手段に保存された前記画像データを、前記サーバに送信する送信部をさらに備えることを特徴とする、請求項１または請求項２に記載のデータ保存システム。
【請求項４】
画像を処理する画像処理装置と、
前記画像処理装置から画像データを受信して保存するサーバと、
前記画像処理装置および前記サーバとデータの送受信を行う携帯端末と、を備え、
前記画像処理装置は、
画像データを保存する記憶手段と、
前記サーバおよび前記携帯端末と通信を行う通信部と、
操作者の操作に応じて、前記通信部により前記サーバへと前記記憶手段に記憶された前記画像データを送信させ、当該通信部による当該サーバへの当該画像データの送信が失敗した場合に、当該通信部により当該画像データを送信させる画像処理機能制御部と、を備え、
前記携帯端末は、
前記画像処理装置から前記画像データを受信する受信部と、
受信した前記画像データを保存する記憶手段と、
を備え、
前記画像処理装置の前記画像処理機能制御部は、前記通信部により前記携帯端末へ前記画像データが送信された後に、当該画像データを前記記憶手段から消去し、
前記携帯端末の前記受信部は、前記画像データと共に、前記サーバに当該画像データを送信するための送信先情報を受信し、
前記携帯端末は、前記受信部により受信された前記送信先情報に基づき、前記記憶手段に保存された前記画像データを、前記サーバに送信する送信部をさらに備え、
前記画像処理装置の前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、アクセス可能情報を前記携帯端末に送信し、
前記携帯端末は、前記画像処理装置から送信された前記アクセス可能情報を受信するアクセス可能情報受信部をさらに備え、
前記携帯端末の前記送信部は、前記アクセス可能情報受信部により前記アクセス可能情報が受信された場合に、前記画像データを前記サーバに送信することを特徴とするデータ保存システム。
【請求項５】
画像を処理する画像処理装置と、
前記画像処理装置から画像データを受信して保存するサーバと、
前記画像処理装置および前記サーバとデータの送受信を行う携帯端末と、を備え、
前記画像処理装置は、
画像データを保存する記憶手段と、
前記サーバおよび前記携帯端末と通信を行う通信部と、
操作者の操作に応じて、前記通信部により前記サーバへと前記記憶手段に記憶された前記画像データを送信させ、当該通信部による当該サーバへの当該画像データの送信が失敗した場合に、当該通信部により当該画像データを送信させる画像処理機能制御部と、を備え、
前記携帯端末は、
前記画像処理装置から前記画像データを受信する受信部と、
受信した前記画像データを保存する記憶手段と、
を備え、
前記画像処理装置の前記画像処理機能制御部は、前記通信部により前記携帯端末へ前記画像データが送信された後に、当該画像データを前記記憶手段から消去し、
前記携帯端末の前記受信部は、前記画像データと共に、前記サーバに当該画像データを送信するための送信先情報を受信し、
前記携帯端末は、前記受信部により受信された前記送信先情報に基づき、前記記憶手段に保存された前記画像データを、前記サーバに送信する送信部をさらに備え、
前記画像処理装置の前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、アクセス可能情報を前記携帯端末に送信し、
前記携帯端末は、前記画像処理装置から送信された前記アクセス可能情報を受信するアクセス可能情報受信部をさらに備えることを特徴とするデータ保存システム。
【請求項６】
前記画像処理装置による処理に対する課金を受け付け、前記通信部による前記サーバへの前記画像データの送信が失敗した場合に、当該画像データの送信処理に対する課金の受け付けを中止する課金装置をさらに備え、
前記画像処理装置の前記通信部は、前記画像データと共に、当該画像データの送信に対する課金に関する課金情報を前記携帯端末に送信し、
前記携帯端末の前記送信部により前記画像データが前記サーバに送信された場合に、前記課金情報に基づく課金処理が行われることを特徴とする、請求項３乃至請求項５の何れかに記載のデータ保存システム。
【請求項７】
画像データを保存する記憶手段と、
サーバと通信を行い、携帯端末と近接場型の無線通信を行う通信部と、
前記通信部により前記サーバへと前記記憶手段に記憶された前記画像データを送信させる画像処理機能制御部と、
前記通信部による前記サーバへの前記画像データの送信が失敗した場合に、前記携帯端末と前記無線通信を行うことを要求する通信要求部と、
を備え、
前記画像処理機能制御部は、前記通信部による当該サーバへの前記画像データの送信が失敗した場合に、前記携帯端末を検知すると、当該通信部により当該画像データを当該携帯端末へ送信させることを特徴とする、画像処理装置。
【請求項８】
前記画像処理機能制御部は、前記通信部により前記携帯端末へ前記画像データが送信された後に、当該画像データを前記記憶手段から消去することを特徴とする、請求項７に記載の画像処理装置。
【請求項９】
前記通信部は、前記携帯端末が前記画像データを前記サーバに送信するための送信先情報を、当該画像データと共に当該携帯端末へ送信することを特徴とする、請求項７または請求項８に記載の画像処理装置。
【請求項１０】
前記通信部は、前記サーバへの前記画像データの送信が失敗し、前記画像処理機能制御部により当該画像データが前記記憶手段から消去された後、当該通信部により前記携帯端末から当該画像データが取得された場合に、当該記憶手段に保持している送信先情報に基づき、取得された当該画像データを当該サーバへ送信することを特徴とする、請求項８に記載の画像処理装置。
【請求項１１】
画像データを保存する記憶手段と、
サーバおよび携帯端末と通信を行う通信部と、
操作者の操作に応じて、前記通信部により前記サーバへと前記記憶手段に記憶された前記画像データを送信させ、当該通信部による当該サーバへの当該画像データの送信が失敗した場合に、当該通信部により前記携帯端末へ当該画像データを送信させ、その後、当該画像データを当該記憶手段から消去する画像処理機能制御部と、
を備え、
前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、前記携帯端末が受信した場合に当該画像データを当該サーバに送信することとなるアクセス可能情報を前記携帯端末に送信することを特徴とする画像処理装置。
【請求項１２】
画像データを保存する記憶手段と、
サーバおよび携帯端末と通信を行う通信部と、
操作者の操作に応じて、前記通信部により前記サーバへと前記記憶手段に記憶された前記画像データを送信させ、当該通信部による当該サーバへの当該画像データの送信が失敗した場合に、当該通信部により前記携帯端末へ当該画像データを送信させ、その後、当該画像データを当該記憶手段から消去する画像処理機能制御部と、
を備え、
前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、アクセス可能情報を前記携帯端末に送信することを特徴とする画像処理装置。
【請求項１３】
画像データに関する処理に対する課金を受け付け、前記通信部による前記サーバへの当該画像データの送信が失敗した場合に、当該画像データの送信処理に対する課金の受け付けを中止する課金制御部をさらに備える、請求項７乃至請求項１２のいずれかに記載の画像処理装置。
【請求項１４】
移動体通信システムのデータ通信回線を介してデータの送受信を行う第１の送受信部と、近接場形の無線通信手段によりデータの送受信を行う第２の送受信部とを備える携帯型端末装置を制御するプログラムであって、
画像を読み取って画像データを取得し、当該画像データをサーバに送信する画像処理装置であって当該サーバへの当該画像データの送信が失敗した場合に前記無線通信手段による前記データの送受信を行うことを要求する当該画像処理装置から、前記第２の送受信部により当該画像データおよび当該サーバに当該画像データを送信するための送信先情報を受信させる機能と、
前記送信先情報に基づき、前記画像データを、前記第１の送受信部により前記サーバに送信させる機能と、
を前記携帯型端末装置に実現させるプログラム。
【手続補正３】
【補正対象書類名】明細書
【補正対象項目名】０００５
【補正方法】変更
【補正の内容】
【０００５】
請求項１に記載の発明は、画像を処理する画像処理装置と、前記画像処理装置から画像データを受信して保存するサーバと、前記画像処理装置および前記サーバとデータの送受信を行う携帯端末と、を備え、前記画像処理装置は、画像データを保存する記憶手段と、前記サーバと通信を行い、前記携帯端末と近接場型の無線通信を行う通信部と、前記通信部により前記サーバへと前記記憶手段に記憶された前記画像データを送信させる、画像処理機能制御部と、前記通信部による前記サーバへの前記画像データの送信が失敗した場合に、前記携帯端末と前記無線通信を行うことを要求する通信要求部と、を備え、前記画像処理機能制御部は、前記通信部による当該サーバへの前記画像データの送信が失敗した場合に、前記携帯端末を検知すると、当該通信部により当該画像データを当該携帯端末へ送信させ、前記携帯端末は、前記画像処理装置から前記画像データを受信する受信部と、受信した前記画像データを保存する記憶手段と、を備えることを特徴とする、データ保存システムである。
請求項２に記載の発明は、前記画像処理装置の前記画像処理機能制御部は、前記通信部により前記携帯端末へ前記画像データが送信された後に、当該画像データを前記記憶手段から消去することを特徴とする、請求項１に記載のデータ保存システムである。
請求項３に記載の発明は、前記携帯端末の前記受信部は、前記画像データと共に、前記サーバに当該画像データを送信するための送信先情報を受信し、前記携帯端末は、前記受信部により受信された前記送信先情報に基づき、前記記憶手段に保存された前記画像データを、前記サーバに送信する送信部をさらに備えることを特徴とする、請求項１または請求項２に記載のデータ保存システムである。
請求項４に記載の発明は、画像を処理する画像処理装置と、前記画像処理装置から画像データを受信して保存するサーバと、前記画像処理装置および前記サーバとデータの送受信を行う携帯端末と、を備え、前記画像処理装置は、画像データを保存する記憶手段と、前記サーバおよび前記携帯端末と通信を行う通信部と、操作者の操作に応じて、前記通信部により前記サーバへと前記記憶手段に記憶された前記画像データを送信させ、当該通信部による当該サーバへの当該画像データの送信が失敗した場合に、当該通信部により当該画像データを送信させる画像処理機能制御部と、を備え、前記携帯端末は、前記画像処理装置から前記画像データを受信する受信部と、受信した前記画像データを保存する記憶手段と、を備え、前記画像処理装置の前記画像処理機能制御部は、前記通信部により前記携帯端末へ前記画像データが送信された後に、当該画像データを前記記憶手段から消去し、前記携帯端末の前記受信部は、前記画像データと共に、前記サーバに当該画像データを送信するための送信先情報を受信し、前記携帯端末は、前記受信部により受信された前記送信先情報に基づき、前記記憶手段に保存された前記画像データを、前記サーバに送信する送信部をさらに備え、前記画像処理装置の前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、アクセス可能情報を前記携帯端末に送信し、前記携帯端末は、前記画像処理装置から送信された前記アクセス可能情報を受信するアクセス可能情報受信部をさらに備え、前記携帯端末の前記送信部は、前記アクセス可能情報受信部により前記アクセス可能情報が受信された場合に、前記画像データを前記サーバに送信することを特徴とするデータ保存システムである。
請求項５に記載の発明は、画像を処理する画像処理装置と、前記画像処理装置から画像データを受信して保存するサーバと、前記画像処理装置および前記サーバとデータの送受信を行う携帯端末と、を備え、前記画像処理装置は、画像データを保存する記憶手段と、前記サーバおよび前記携帯端末と通信を行う通信部と、操作者の操作に応じて、前記通信部により前記サーバへと前記記憶手段に記憶された前記画像データを送信させ、当該通信部による当該サーバへの当該画像データの送信が失敗した場合に、当該通信部により当該画像データを送信させる画像処理機能制御部と、を備え、前記携帯端末は、前記画像処理装置から前記画像データを受信する受信部と、受信した前記画像データを保存する記憶手段と、を備え、前記画像処理装置の前記画像処理機能制御部は、前記通信部により前記携帯端末へ前記画像データが送信された後に、当該画像データを前記記憶手段から消去し、前記携帯端末の前記受信部は、前記画像データと共に、前記サーバに当該画像データを送信するための送信先情報を受信し、前記携帯端末は、前記受信部により受信された前記送信先情報に基づき、前記記憶手段に保存された前記画像データを、前記サーバに送信する送信部をさらに備え、前記画像処理装置の前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、アクセス可能情報を前記携帯端末に送信し、前記携帯端末は、前記画像処理装置から送信された前記アクセス可能情報を受信するアクセス可能情報受信部をさらに備えることを特徴とするデータ保存システムである。
請求項６に記載の発明は、前記画像処理装置による処理に対する課金を受け付け、前記通信部による前記サーバへの前記画像データの送信が失敗した場合に、当該画像データの送信処理に対する課金の受け付けを中止する課金装置をさらに備え、前記画像処理装置の前記通信部は、前記画像データと共に、当該画像データの送信に対する課金に関する課金情報を前記携帯端末に送信し、前記携帯端末の前記送信部により前記画像データが前記サーバに送信された場合に、前記課金情報に基づく課金処理が行われることを特徴とする、請求項３乃至請求項５の何れかに記載のデータ保存システムである。
請求項７に記載の発明は、画像データを保存する記憶手段と、サーバと通信を行い、携帯端末と近接場型の無線通信を行う通信部と、前記通信部により前記サーバへと前記記憶手段に記憶された前記画像データを送信させる画像処理機能制御部と、前記通信部による前記サーバへの前記画像データの送信が失敗した場合に、前記携帯端末と前記無線通信を行うことを要求する通信要求部と、を備え、前記画像処理機能制御部は、前記通信部による当該サーバへの前記画像データの送信が失敗した場合に、前記携帯端末を検知すると、当該通信部により当該画像データを当該携帯端末へ送信させることを特徴とする、画像処理装置である。
請求項８に記載の発明は、前記画像処理機能制御部は、前記通信部により前記携帯端末へ前記画像データが送信された後に、当該画像データを前記記憶手段から消去することを特徴とする、請求項７に記載の画像処理装置である。
請求項９に記載の発明は、前記通信部は、前記携帯端末が前記画像データを前記サーバに送信するための送信先情報を、当該画像データと共に当該携帯端末へ送信することを特徴とする、請求項７または請求項８に記載の画像処理装置である。
請求項１０に記載の発明は、前記通信部は、前記サーバへの前記画像データの送信が失敗し、前記画像処理機能制御部により当該画像データが前記記憶手段から消去された後、当該通信部により前記携帯端末から当該画像データが取得された場合に、当該記憶手段に保持している送信先情報に基づき、取得された当該画像データを当該サーバへ送信することを特徴とする、請求項８に記載の画像処理装置である。
請求項１１に記載の発明は、画像データを保存する記憶手段と、サーバおよび携帯端末と通信を行う通信部と、操作者の操作に応じて、前記通信部により前記サーバへと前記記憶手段に記憶された前記画像データを送信させ、当該通信部による当該サーバへの当該画像データの送信が失敗した場合に、当該通信部により前記携帯端末へ当該画像データを送信させ、その後、当該画像データを当該記憶手段から消去する画像処理機能制御部と、を備え、前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、前記携帯端末が受信した場合に当該画像データを当該サーバに送信することとなるアクセス可能情報を前記携帯端末に送信することを特徴とする画像処理装置である。
請求項１２に記載の発明は、画像データを保存する記憶手段と、サーバおよび携帯端末と通信を行う通信部と、操作者の操作に応じて、前記通信部により前記サーバへと前記記憶手段に記憶された前記画像データを送信させ、当該通信部による当該サーバへの当該画像データの送信が失敗した場合に、当該通信部により前記携帯端末へ当該画像データを送信させ、その後、当該画像データを当該記憶手段から消去する画像処理機能制御部と、を備え、前記通信部は、前記サーバへの前記画像データの送信が失敗し、前記画像処理機能制御部により当該画像データが前記記憶手段から消去された後、予め設定された時間間隔で当該サーバへのアクセスを試行し、当該サーバへのアクセスが可能となったならば、アクセス可能情報を前記携帯端末に送信することを特徴とする画像処理装置である。
請求項１３に記載の発明は、画像データに関する処理に対する課金を受け付け、前記通信部による前記サーバへの当該画像データの送信が失敗した場合に、当該画像データの送信処理に対する課金の受け付けを中止する課金制御部をさらに備える、請求項７乃至請求項１２のいずれかに記載の画像処理装置である。
請求項１４に記載の発明は、移動体通信システムのデータ通信回線を介してデータの送受信を行う第１の送受信部と、近接場形の無線通信手段によりデータの送受信を行う第２の送受信部とを備える携帯型端末装置を制御するプログラムであって、画像を読み取って画像データを取得し、当該画像データをサーバに送信する画像処理装置であって当該サーバへの当該画像データの送信が失敗した場合に前記無線通信手段による前記データの送受信を行うことを要求する当該画像処理装置から、前記第２の送受信部により当該画像データおよび当該サーバに当該画像データを送信するための送信先情報を受信させる機能と、前記送信先情報に基づき、前記画像データを、前記第１の送受信部により前記サーバに送信させる機能と、を前記携帯型端末装置に実現させるプログラムである。
【手続補正４】
【補正対象書類名】明細書
【補正対象項目名】０００６
【補正方法】変更
【補正の内容】
【０００６】
請求項１の発明によれば、画像処理装置からサーバへの画像データの送信が失敗した場合に、画像処理装置の操作者が指定した携帯端末に退避させた送信対象の画像データを、操作者以外の者が閲覧することを抑制することができる。
請求項２の発明によれば、画像処理装置からサーバへの画像データの送信が失敗した場合に、画像データを画像処理装置に残さずに、携帯端末に退避させることができる。
請求項３の発明によれば、携帯端末に、退避させた画像データのサーバへの送信処理を代行させることができる。
請求項４の発明によれば、画像処理装置の動作によりサーバへのアクセスが回復したか否かを認識することができるため、携帯端末においてサーバへのアクセスの試行を繰り返さなくて良い。
請求項５の発明によれば、画像処理装置の動作によりサーバへのアクセスが回復したか否かを、画像データを保持している携帯端末において認識することができる。
請求項６の発明によれば、画像データをサーバに送信する処理に関して、実際に行われた動作に対して課金を受け付けることができる。
請求項７の発明によれば、画像処理装置からサーバへの画像データの送信が失敗した場合に、画像処理装置の操作者が指定した携帯端末に退避させた送信対象の画像データを、操作者以外の者が閲覧することを抑制することができる。
請求項８の発明によれば、画像処理装置からサーバへの画像データの送信が失敗した場合に、画像データを画像処理装置に残さずに、携帯端末に退避させることができる。
請求項９の発明によれば、携帯端末が、画像処理装置から退避した画像データのサーバへの送信処理を代行することができる。
請求項１０の発明によれば、携帯端末から画像データを受信した際に、改めて送信先情報を取得することなく、送信先のサーバへ画像データを送信することができる。
請求項１１の発明によれば、画像処理装置の動作によりサーバへのアクセスが回復したか否かを認識することができるため、携帯端末においてサーバへのアクセスの試行を繰り返さなくて良い。
請求項１２の発明によれば、画像処理装置の動作によりサーバへのアクセスが回復したか否かを、画像データを保持している携帯端末において認識することができる。
請求項１３の発明によれば、実際に実行完了した動作に対してのみ課金を受け付けることができる。
請求項１４の発明によれば、移動体通信システムのデータ通信回線を用いたデータ通信機能および近距離無線通信によるデータ通信機能を有する携帯型端末装置に対し、画像処理装置により取得された画像データのサーバへの送信を、画像処理装置の操作者が指定した携帯端末の通信機能を用いて、操作者以外の者が送信対象の画像データを閲覧することを抑制して代行する機能を持たせることができる。